(57)【特許請求の範囲】
【請求項１】
可動式の表示手段であるディスプレイ装置と、前記ディスプレイ装置を収納するインナーエスカッションと、前記インナーエスカッションが取り付けられ、かつ電子基板を内蔵する筐体と、を備えるナビゲーション装置であって、
前記インナーエスカッションを隔てて配置された前記ディスプレイ装置と前記筐体に内蔵される電子基板との間の入出力信号を伝送可能な伝送路であるフレキシブルプリントケーブルと、
前記フレキシブルプリントケーブルを前記インナーエスカッションの所定の位置に前記インナーエスカッションを通過する方向とは異なる所定の方向に曲げた状態で押さえつけて取り付ける取り付け手段と、
を備え、
前記フレキシブルプリントケーブルは、前記インナーエスカッションに設けられた空隙を通って前記ディスプレイ装置と前記電子基板とを接続し、
前記取り付け手段には、位置決めのための突起が設けられており、
前記フレキシブルプリントケーブル及び前記インナーエスカッションには、前記突起に対応する所定の位置に、位置決め孔が設けられており、
前記位置決めのための突起が前記位置決め孔にはまり込むことで、前記インナーエスカッションと前記フレキシブルプリントケーブルとの位置関係が定められ、保持される、
ことを特徴とするナビゲーション装置。
【請求項２】
請求項１に記載のナビゲーション装置であって、
前記位置決め孔は、
二つ以上設けられ、
前記突起は、前記位置決め孔と同数設けられる、
ことを特徴とするナビゲーション装置。
【請求項３】
請求項１または２に記載のナビゲーション装置であって、
前記取り付け手段は、ねじにより前記筐体へ取り付けられる、
ことを特徴とするナビゲーション装置。
【請求項４】
ナビゲーション装置の組立構造であって、
前記ナビゲーション装置は、
可動式の表示手段であるディスプレイ装置と、前記ディスプレイ装置を収納するインナーエスカッションと、前記インナーエスカッションが取り付けられ、かつ電子基板を内蔵する筐体と、を備え、
前記インナーエスカッションを隔てて配置された前記ディスプレイ装置と前記筐体に内蔵される電子基板との間の入出力信号を伝送可能な伝送路であるフレキシブルプリントケーブルと、
前記フレキシブルプリントケーブルを前記インナーエスカッションの所定の位置に前記インナーエスカッションを通過する方向とは異なる所定の方向に曲げた状態で押さえつけて取り付ける取り付け手段と、
を備え、
前記フレキシブルプリントケーブルは、前記インナーエスカッションに設けられた空隙を通って前記ディスプレイ装置と前記電子基板とを接続し、
前記取り付け手段には、位置決めのための突起が設けられており、
前記フレキシブルプリントケーブル及び前記インナーエスカッションには、前記突起に対応する所定の位置に、位置決め孔が設けられており、
前記位置決めのための突起が前記位置決め孔にはまり込むことで、前記インナーエスカッションと前記フレキシブルプリントケーブルとの位置関係が定められ、保持される、
ことを特徴とするナビゲーション装置の組立構造。
【請求項５】
請求項４に記載のナビゲーション装置の組立構造であって、
前記位置決め孔は、
二つ以上設けられ、
前記突起は、前記位置決め孔と同数設けられる、
ことを特徴とするナビゲーション装置の組立構造。
【請求項６】
請求項４または５に記載のナビゲーション装置の組立構造であって、
前記取り付け手段は、ねじにより前記筐体へ取り付けられる、
ことを特徴とするナビゲーション装置の組立構造。
【発明の詳細な説明】
【技術分野】
【０００１】
本発明は、ナビゲーション装置の技術に関するものである。
【背景技術】
【０００２】
従来、ナビゲーション装置は、電子部品や機械部品を、骨格を形成する筐体にねじ等により固定して組みつけて構成される。特許文献１には、このようなナビゲーション装置についての技術が記載されている。
【先行技術文献】
【特許文献】
【０００３】
【特許文献１】特開平０９−０７９４８１号公報
【発明の概要】
【発明が解決しようとする課題】
【０００４】
しかし、上記のようなナビゲーション装置では、製造の際に、部品ごとに特殊な治具を用いて組み付ける必要がある場合が多かった。すなわち、各部品を組み付ける際に、部品ごとにねじ止めを行うために、ねじ止め作業のために部品を仮保持する特殊な治具が必要になることが多く、作業工程が複雑であった。
【０００５】
本発明の目的は、特殊な治具を用いずに、部品を仮保持することができるナビゲーション装置の技術を提供することにある。
【課題を解決するための手段】
【０００６】
上記課題を解決するために、例えば特許請求の範囲に記載の構成を採用する。
本願は上記課題を解決する手段を複数含んでいるが、その一例を挙げるならば、本発明に係るナビゲーション装置は、可動式の表示手段であるディスプレイ装置と、上記ディスプレイ装置を収納するインナーエスカッションと、上記インナーエスカッションが取り付けられ、かつ電子基板を内蔵する筐体と、を備えるナビゲーション装置であって、上記インナーエスカッションを隔てて配置された上記ディスプレイ装置と上記筐体に内蔵される電子基板との間の入出力信号を伝送可能な伝送路であるフレキシブルプリントケーブルと、上記フレキシブルプリントケーブルを上記インナーエスカッションの所定の位置に上記インナーエスカッションを通過する方向とは異なる所定の方向に曲げた状態で押さえつけて取り付ける取り付け手段と、を備え、上記フレキシブルプリントケーブルは、上記インナーエスカッションに設けられた空隙を通って上記ディスプレイ装置と上記電子基板とを接続し、上記取り付け手段には、位置決めのための突起が設けられており、上記フレキシブルプリントケーブル及び上記インナーエスカッションには、上記突起に対応する所定の位置に、位置決め孔が設けられており、上記位置決めのための突起が上記位置決め孔にはまり込むことで、上記インナーエスカッションと上記フレキシブルプリントケーブルとの位置関係が定められ、保持される。
【０００７】
また、本発明に係るナビゲーション装置の組立構造では、上記ナビゲーション装置は、可動式の表示手段であるディスプレイ装置と、上記ディスプレイ装置を収納するインナーエスカッションと、上記インナーエスカッションが取り付けられ、かつ電子基板を内蔵する筐体と、を備え、上記インナーエスカッションを隔てて配置された上記ディスプレイ装置と上記筐体に内蔵される電子基板との間の入出力信号を伝送可能な伝送路であるフレキシブルプリントケーブルと、上記フレキシブルプリントケーブルを上記インナーエスカッションの所定の位置に上記インナーエスカッションを通過する方向とは異なる所定の方向に曲げた状態で押さえつけて取り付ける取り付け手段と、を備え、上記フレキシブルプリントケーブルは、上記インナーエスカッションに設けられた空隙を通って上記ディスプレイ装置と上記電子基板とを接続し、上記取り付け手段には、位置決めのための突起が設けられており、上記フレキシブルプリントケーブル及び上記インナーエスカッションには、上記突起に対応する所定の位置に、位置決め孔が設けられており、上記位置決めのための突起が上記位置決め孔にはまり込むことで、上記インナーエスカッションと上記フレキシブルプリントケーブルとの位置関係が定められ、保持される。
【発明の効果】
【０００８】
本発明によれば、特殊な治具を用いずに、部品を仮保持することができるナビゲーション装置の技術を提供することが可能となる。上記以外の課題、構成および効果は、以下の実施形態の説明により明らかにされる。
【図面の簡単な説明】
【０００９】
【図１】図１は、ナビゲーション装置の組立工程を示す図である。
【図２】図２は、ナビゲーション装置の組立工程を示す図である。
【図３】図３は、フレキシブルプリントケーブルを組み付けた状態を示す図である。
【図４】図４は、フレキシブルプリントケーブルを組み付ける工程を示す図である。
【図５】図５は、フレキシブルプリントケーブルを組み付ける工程を示す図である。
【図６】図６は、フレキシブルプリントケーブルを組み付ける支持部材の斜視図である。
【発明を実施するための形態】
【００１０】
以下に、本発明の第一の実施形態を適用したナビゲーション装置について、図面を参照して説明する。
【００１１】
図１、図２に、ナビゲーション装置１の組立工程の概要の図を示す。なお、ナビゲーション装置１は、地図情報を表示して、ナビゲーション装置１の現在地を示す地点と、設定された目的地までの経路を誘導する情報と、を示すことが可能ないわゆるナビゲーション装置である。なお、以降の記載において、ナビゲーション装置１の通常の使用状態を基準として、底面方向をＺ方向、裏面方向をＹ方向、左面方向をＸ方向とする３軸方向で図上の方向を表す。
【００１２】
ナビゲーション装置１は、コの字型をした筐体の骨格となる金属筐体１００と、金属筐体１００の天面（図１（ａ）、（ｂ）および図２（ａ）においては、図の下方向の面）に取り付けられる第一の内部ユニット２００と、金属筐体１００の両側面（図１（ｂ）における図の右下方向の面および左上方向の面）に取り付けられる第二の内部ユニット３００と、金属筐体１００の底面（図２（ａ）においては、図の上方向の面）を構成する底面ユニット４００と、を備えている。
【００１３】
また、図２（ｂ）に示すように、ナビゲーション装置１は、金属筐体１００の天面、両側面の外側から、上記第一の内部ユニット２００、第二の内部ユニット３００、底面ユニット４００がねじ止めされる。なお、本実施形態においては、金属筐体１００の側面の片方の面（図２（ｂ）の図右下側の面）には開口がある。
【００１４】
なお、本実施形態においては、第一の内部ユニット２００は、ＣＤ（Compact Disk）やＤＶＤ（Digital Versatile Disk）等の光磁気ディスクや、各種メモリーカード等の記憶媒体の入出力インターフェースを備えるユニットである。また、第二の内部ユニット３００は、オーディオヴィジュアル機能を実現する処理系を備える電子基板であるオーディオ基板と、ナビゲーション機能を実現する処理系を備える電子基板であるナビ基板と、を含む各種基板が組み付けられた演算処理部ユニットである。また、底面ユニット４００は、金属筐体１００の底面を構成する板金を含み、金属筐体１００の前面（図１（ａ）における左下方向の面）に取り付けられる図示しないディスプレイ部材をチルト動作させるためのアーム部材や、当該アーム部材をスライド移動させるための動力となるモーターやギヤ等を備えるユニットである。
【００１５】
図１（ａ）に示すように、まず、第一の内部ユニット２００は、金属筐体１００の天面（図１（ａ）の下方向の面）に接点を持つように取り付けられて仮保持される。すなわち、第一の内部ユニット２００は、ナビゲーション装置１００の通常状態においては、金属筐体１００の天面から吊り下げられるように仮保持されるといえる。そして、図１（ｂ）に示すように、第一の内部ユニット２００の上（図１（ｂ）の上方向）から、第二の内部ユニットが、積み重ねられるように位置決めされ、金属筐体１００の両側面（図１（ｂ）の図の右下方向の面と、左上方向の面）に接点を持つように取り付けられて仮保持される。そして、さらに、第二の内部ユニット３００の上（図２（ａ）の上方向）から、底面ユニット４００が、積み重ねられるように位置決めされ、金属筐体１００の両側面（図２（ａ）の図の右下方向の面と、左上方向の面）に接点を持つように取り付けられて仮保持される。
【００１６】
図２（ｂ）に示すように、金属筐体１００に第一の内部ユニット２００と、第二の内部ユニット３００と、底面ユニット４００と、が取り付けられて仮保持された状態において、各ユニットは金属筐体１００の外部からねじ止めされ、固定される。なお、金属筐体１００の天面（図２（ｂ）における図の上方向の面）にねじ込まれる天面側ねじ群１１０Ｔは、金属筐体１００の天面に設けられた孔を貫通して、天面の内側に仮保持された第一の内部ユニット２００の所定のねじ孔にはまりこむ。これにより、第一の内部ユニット２００は、金属筐体１００へ固定され組み付けがなされる。また、金属筐体１００の右側面（図２（ｂ）における図の右下方向の面）にねじ込まれる右側面側ねじ群１１０Ｒは、金属筐体１００の右側面に設けられた孔を貫通して、右側面の内側に仮保持された第二の内部ユニット３００および底面ユニット４００の所定のねじ孔にはまりこむ。同様に、左側面（図２（ｂ）における図の左上方向の面）にねじ込まれる左側面側ねじ群１１０Ｌは、筐体１００の左側面に設けられた孔を貫通して、左側面の内側に仮保持された第二の内部ユニット３００および底面ユニット４００の所定のねじ孔にはまりこむ。これにより、第二の内部ユニット３００および底面ユニット４００は、金属筐体１００へ固定され組みつけがなされる。
【００１７】
図３は、図１（ａ）〜図２（ｂ）に示す天面に部品を組み付ける工程を経て、さらに、インナーエスカッション５００が取り付けられた状態のナビゲーション装置１の斜視図である。インナーエスカッション５００は、ナビゲーション装置１の前面（図３の左下面）から突出する底面ユニット４００のスライドアームに取り付けられるディスプレイ装置（図示せず）を収納する樹脂製の浅い箱型の部材である。インナーエスカッション５００は、ディスプレイ装置の収納にとどまらず、ディスプレイ装置がチルト（傾き）動作をしている状態における装飾と、電子機器の防護の役割をも担う部材である。
【００１８】
ディスプレイ装置に対する出力信号は、ナビゲーション装置１の筐体に収められた各種内部ユニットから送信される。例えば、ディスプレイ装置に表示させる映像の情報は、第二の内部ユニット３００等から送信される。ディスプレイ装置に設けられた入力検出装置（例えば、タッチパネル等）が受け付けた入力情報を伝達するための入力信号は、ナビゲーション装置１の筐体に収められた各種内部ユニットへ送信される。このような入出力の信号は、ディスプレイ装置がチルト動作するためにチルト動作時にも安定して送受信されるようにしておく必要がある。そのため、本実施形態にかかるナビゲーション装置１では、フレキシブルプリントケーブル３５０を通じて当該信号が送受信されるようにしている。ただし、当該フレキシブルプリントケーブル３５０は、ディスプレイ装置がチルト動作することを考慮して、ある程度の可動範囲を確保するのに必要な長さ等を備えるとともに、余計な巻き込み等が発生しないよう、だぶつきを抑える必要がある。このだぶつきを抑えるために、専用の治具を用いて作業をする必要があった。
【００１９】
本願発明にかかる実施形態においては、フレキシブルプリントケーブル３５０を介してディスプレイ装置と接続される装置は、第二の内部ユニット３００に組み付けられたオーディオ基板およびナビ基板を含む演算処理部ユニットである。すなわち、ナビゲーション装置１は、筐体内部に配置された装置と、インナーエスカッション５００を隔てた筐体外部に配置された装置と、をつなぐフレキシブルプリントケーブル３５０を備えるといえる。
【００２０】
フレキシブルプリントケーブル３５０は、第二の内部ユニット３００から、インナーエスカッション５００に設けられた空隙５１０（図４参照）を通って、筐体外部のディスプレイ装置に繋がっている。当該空隙５１０には、ＦＰＣカバー３６０が設けられており、フレキシブルプリントケーブル３５０の位置や長さについての自由度を制限している。ＦＰＣカバー３６０と、フレキシブルプリントケーブル３５０とは、左側ねじ３７０Ｌと右側ねじ３７０Ｒとにより、インナーエスカッション５００に固定される。
【００２１】
図４および図５は、ＦＰＣカバー３６０の取り付け前のナビゲーション装置１００の状態を示す斜視図である。フレキシブルプリントケーブル３５０は、所定の形状に折りたたまれて取り付けられる。また、ＦＰＣカバー３６０の左右端の二箇所には、右側ねじ孔３６１Ｒ、左側ねじ孔３６１Ｌとが設けられている。フレキシブルプリントケーブル３５０の所定の位置の短辺方向の両端には、左側仮止め孔３５０Ｌと、右側仮止め孔３５０Ｒが設けられている。また、インナーエスカッション５００には、所定の位置に、右側ねじ孔３７１Ｒと、右側仮止め孔３８０Ｒおよびそれぞれに対応する左側ねじ孔３７１Ｌ（図示せず）、左側仮止め孔３８０Ｌ（図示せず）が設けられている。ここで、右側ねじ孔３７１Ｒには、ＦＰＣカバー３６０の右側ねじ孔３６１Ｒを貫通する右側ねじ３７０Ｒがねじ込まれる。また、左側ねじ孔３７１Ｌには、ＦＰＣカバー３６０の左側ねじ孔３６１Ｌを貫通して左側ねじ３７０Ｌがねじ込まれる。
【００２２】
図６は、ＦＰＣカバー３６０を、インナーエスカッション５００に取り付けられる側から見た斜視図である。ＦＰＣカバー３６０は、樹脂等により形成されている。ＦＰＣカバー３６０には、右側ねじ孔３６１Ｒと、左側ねじ孔３６１Ｌとが設けられている。また、ＦＰＣカバー３６０には、右側ケーブル固定突起３６２Ｒと、左側ケーブル固定突起３６２Ｌとが設けられている。右側ケーブル固定突起３６２Ｒおよび左側ケーブル固定突起３６２Ｌは、それぞれ、フレキシブルプリントケーブル３５０の右側仮止め孔３５０Ｒおよび左側仮止め孔３５０Ｌを貫通してインナーエスカッション５００に設けられた所定の孔に挿入される。これにより、フレキシブルプリントケーブル３５０は、インナーエスカッション５００に対して位置決めされ、仮止めされる。
【００２３】
ＦＰＣカバー３６０には、さらに、右端中央付近に、右側位置決め突起３６３Ｒが、右端上部付近に、右上側位置決め突起３６３ＴＲが、左端上部付近に、左上側位置決め突起３６３ＴＬ、左端中央付近に、左側位置決め突起３６３Ｌが設けられている。各突起は、インナーエスカッション５００の対応する位置に設けられた位置決め孔に、それぞれはめ込まれる。すなわち、右側ケーブル固定突起３６２Ｒ、左側ケーブル固定突起３６２Ｌ、右側位置決め突起３６３Ｒ、右上側位置決め突起３６３ＴＲ、左上側位置決め突起３６３ＴＬ、左側位置決め突起３６３Ｌが、それぞれ、インナーエスカッション５００の対応する孔にはまり込むため、右側ねじ３７０Ｒおよび左側ねじ３７０Ｌによるねじ止めを行わなくても、フレキシブルプリントケーブル３５０は位置決めされ、所定の位置に仮保持される。このように、フレキシブルプリントケーブル３５０は、ある程度の可動範囲を確保するのに必要な長さ等を備えるとともに、余計な巻き込み等が発生しないよう、だぶつきを抑えられて取り付けられることができる。
【００２４】
以上が、本願発明に係る第一の実施形態である。上記実施形態によれば、ナビゲーション装置１は、特殊な治具を用いずに、部品を仮保持することができる。そのため、ナビゲーション装置の組立精度を高めつつ、組立にかかる作業量を減らすことができる。また、組立にミスがあった場合にも、ミスを修正して再度組み立てることが容易にできる。ねじ止めを最後に行うものであるから、それまでの仮保持の状態においては、ねじを取り外ししなくとも各内部ユニットの再組み付けが可能となるからである。
【００２５】
上記実施形態によれば、内部の電子部品と、ディスプレイ装置とをつなぐ伝送路であるフレキシブルプリントケーブル３５０を、柔軟性を保持しつつ、的確に位置決めを行って容易に、かつ確実に押さえつけて取り付けられる。また、取り付け後にも保持力が継続されるため、ディスプレイ装置のチルト動作が繰り返された場合であっても、安定する。
【００２６】
本発明は、上記の実施形態に制限されない。上記実施形態は、本発明の技術的思想の範囲内で様々な変形が可能である。例えば、上記実施形態においては、金属筐体１００はコの字型をしており、天面、左右側面を備えるものであるが、これに限られず、例えば左右の側面と底面を備えるものであってもよいし、天面のみまたは底面のみを備えるものであってもよい。このようにすることで、様々な形状の骨格を備えるナビゲーション装置についても、仮保持を行ってねじ止め工程を下流工程に集約することができるようになる。
【００２７】
また、例えば、上記実施形態においては、フレキシブルプリントケーブル３５０は、ナビゲーション装置１の正面から外部へ延びている。しかし、これに限られず、側面または背面、その他の面から外部へ延びるようにしてもよい。また、フレキシブルプリントケーブル３５０は、ディスプレイ装置へ繋がる信号線に限らず、例えばナビゲーション装置１の操作を受け付けるための装置を有線接続する場合の信号線等であってもよい。
【００２８】
以上、本発明について、実施形態を中心に説明した。なお、上記の実施形態では、本発明をナビゲーション装置に適用した例について説明したが、本発明はナビゲーション装置に限らず、組立構造を備える装置全般に適用することができる。
【符号の説明】
【００２９】
１・・・ナビゲーション装置、１００・・・筐体、１１０Ｒ・・・右側ねじ群、１１０Ｌ・・・左側ねじ群、１１０Ｔ・・・天面側ねじ群、２００・・・第一の内部ユニット、３００・・・第二の内部ユニット、３５０・・・フレキシブルプリントケーブル、３６０・・・ＦＰＣカバー、３６１Ｒ・・・右側ねじ孔、３６１Ｌ・・・左側ねじ孔、３６２Ｒ・・・右側ケーブル固定突起、３６２Ｌ・・・左側ケーブル固定突起、３６３Ｒ・・・右側位置決め突起、３６３ＴＲ・・・右上側位置決め突起、３６３ＴＬ・・・左上側位置決め突起、３６３Ｌ・・・左側位置決め突起、３７０Ｒ・・・右側ねじ、３７０Ｌ・・・左側ねじ、３７１Ｒ・・・右側ねじ孔、３７１Ｌ・・・左側ねじ孔、３８０Ｒ・・・右側仮止め孔、３８０Ｌ・・・左側仮止め孔、４００・・・底面ユニット、５００・・・インナーエスカッション、５１０・・・空隙
【図１】
0005714271.tif 000002
【図２】
0005714271.tif 000003
【図３】
0005714271.tif 000004
【図４】
0005714271.tif 000005
【図５】
0005714271.tif 000006
【図６】
0005714271.tif 000007